(57)【要約】【課題】ボール排除装置を簡単に着脱可能とし、作業性を向上させた地上設置式のボール排除装置を提供する。【解決手段】スタンド２１は、地下の空洞部１７に設置するとともに、主軸３と、スタンド２１とに、装置を着脱可能とする着脱機構Ａを備え、この着脱機構Ａは、主軸３の下端部に設けた嵌入部１２と、スタンド２１上に設けた、嵌入部１２を嵌入可能、かつ主軸３を立設可能とするブラケット２２とからなり、嵌入部１２を、ブラケット２３に、空洞部１７に覆設したマシンカバー１８の穴部１８ａを介して着脱自在に備えた。【選択図】図２
2011167339.tif 000002
【特許請求の範囲】
【請求項１】
内設した駆動源により外筒を回転させる回転体と、
該回転体を支持する主軸と、
前記回転体の上部に取付けたピンと、
前記回転体の下部側面に取付けたボール排除棒とを備え、
前記主軸を、スタンド上に立設してなる地上設置式ボール排除装置において、
前記スタンドは、地下の空洞部に設置するとともに、
前記主軸と、前記スタンドとに、前記装置を着脱可能とする着脱機構を備えることを特徴とする地上設置式ボール排除装置。
【請求項２】
前記着脱機構は、前記主軸の下端部に設けた嵌入部と、
前記スタンド上に設けた、前記嵌入部を嵌入可能、かつ前記主軸を立設可能とするブラケットと、からなり、前記嵌入部を、前記ブラケットに、前記空洞部に覆設したマシンカバーの穴部を介して着脱自在に備えたことを特徴とする、請求項１に記載の地上設置式ボール排除装置。
【請求項３】
前記主軸は、長手方向中心部に長孔を設け、プラグを備える配線を前記長孔内に内装可能とし、前記主軸の上部および前記嵌入部の底部側面に、前記長孔に連通した横孔を形成するとともに、前記ブラケットは、前記横孔を有する前記嵌入部の面と同一方向の面に、切欠部を縦貫形成し、かつ前記スタンドは、アダプタを備える配線を貫通可能とする穴部を形成したことを特徴とする、請求項１に記載の地上設置式ボール排除装置。
【請求項４】
前記ピンは、電光部を備えるとともに、前記外筒を構成する上部プレートに設置した、固定軸に着脱可能に設け、前記固定軸には、前記電光部に通電する配線を内装する孔を形成したことを特徴とする、請求項１に記載の地上設置式ボール排除装置。
【発明の詳細な説明】
【技術分野】
【０００１】
本発明は、ゴルフ練習場のグリーン上に設置した、グリーン上のゴルフボールを払い落とすボール排除装置に関し、より詳細には、グリーン上に着脱自在に設けた地上設置式のボール排除装置に関する。
【背景技術】
【０００２】
従来のボール排除装置には、例えば、ゴルフ練習場において、グリーン上の中心部に設け、グリーンの直径周部に十分届く長さのボール排除棒であるパイプ（棒）をグリーン上で回転させて、目標グリーン上に載って留まっているゴルフボールを、グリーンの外側方に払い落とす（例えば、特許文献１や特許文献２）ものがある。この種の装置は、ゴルフコースのグリーン上に、ホールカップに突き立てたピンのみが存在する観点から、練習場においてもグリーン上にピンのみを設置させるため、ボール排除棒の駆動源を含む駆動装置をグリーンの地中（地下）に埋設している。しかし、上述した地下埋設式のボール排除装置では、雨水により駆動源が冠水する恐れがあり、グリーンに排水管を敷設する必要性や、電気系統の漏電、および地面を掘り下げるため、安全面や費用面での問題があった。そのため、このような問題を生じないグリーン上に駆動源を設置した地上設置式のボール排除装置もある。
【先行技術文献】
【特許文献】
【０００３】
【特許文献１】実開平６−２１６６２号公報
【特許文献２】実開平６−４６７６２号公報
【発明の概要】
【発明が解決しようとする課題】
【０００４】
この地上設置式のボール排除装置では、例えば、雪が多い地域の練習場において、グリーン上に設置された駆動源が除雪作業の邪魔になり、作業効率の低下および、除雪作業による除雪具の接触や冬季休業中など長い間の積雪による雪の重さで駆動源が破損してしまう恐れがあった。また、例えば、台風などの原因により、練習場の天井ネットを着地させる際、強風で着地ネットが動いてボール排除装置にネットが引っかかり、ネットが切れるなど、グリーン上に設置されたボール排除装置により天井ネットが破損してしまう問題もあった。このように気象条件などによって練習場の設備面に不都合が生じるが、グリーン上のボール排除装置を簡単に取り外すことができず、また取り外すことができても手間がかかるという問題があった。
従って、この発明の目的は、着脱作業の迅速化に伴う作業能率を向上させた地上設置式のボール排除装置を提供するものである。
【課題を解決するための手段】
【０００５】
このため、請求項１に記載の発明は、内設した駆動源により外筒を回転させる回転体と、該回転体を支持する主軸と、前記回転体の上部に取付けたピンと、前記回転体の下部側面に取付けたボール排除棒とを備え、前記主軸を、スタンド上に立設してなる地上設置式ボール排除装置において、前記スタンドは、地下の空洞部に設置するとともに、前記主軸と、前記スタンドとに、前記装置を着脱可能とする着脱機構を備えることを特徴とする。
【０００６】
請求項２に記載の発明は、請求項１に記載の地上設置式ボール排除装置において、前記着脱機構は、前記主軸の下端部に設けた嵌入部と、前記スタンド上に設けた、前記嵌入部を嵌入可能、かつ前記主軸を立設可能とするブラケットとからなり、前記嵌入部を、前記ブラケットに、前記空洞部に覆設したマシンカバーの穴部を介して着脱自在に備えたことを特徴とする。
【０００７】
請求項３に記載の発明は、請求項１に記載の地上設置式ボール排除装置において、前記主軸は、長手方向中心部に長孔を設け、プラグを備える配線を前記長孔内に内装可能とし、前記主軸の上部および前記嵌入部の底部側面に、前記長孔に連通した横孔を形成するとともに、前記ブラケットは、前記横孔を有する前記嵌入部の面と同一方向の面に、切欠部を縦貫形成し、かつ前記スタンドは、アダプタを備える電線を貫通可能とする穴部を形成したことを特徴とする。
【０００８】
請求項４に記載の発明は、請求項１に記載の地上設置式ボール排除装置において、前記ピンは、電光部を備えるとともに、前記外筒を構成する上部プレートに設置した、固定軸に着脱可能に設け、前記固定軸には、前記電光部に通電する配線を内装する孔を形成したことを特徴とする。
【発明の効果】
【０００９】
請求項１に記載の発明によれば、内設した駆動源により外筒を回転させる回転体と、この回転体を支持する主軸と、回転体の上部に取付けたピンと、回転体の下部側面に取付けたボール排除棒とを備え、主軸を、スタンド上に立設してなる地上設置式ボール排除装置において、スタンドは、地下の空洞部に設置するとともに、主軸と、スタンドとに、装置を着脱可能とする着脱機構を備えるので、積雪や台風といった気候条件など必要に応じて、グリーン上に設置したボール排除装置を簡単に着脱させることができる。従って、着脱作業の迅速化に伴う作業能率を向上させた地上設置式のボール排除装置を提供することができる。
【００１０】
請求項２に記載の発明によれば、着脱機構は、主軸の下端部に設けた嵌入部と、スタンド上に設けた、嵌入部を嵌入可能、かつ主軸を立設可能とするブラケットとからなり、嵌入部を、ブラケットに、空洞部に覆設したマシンカバーの穴部を介して着脱自在に備えたので、簡単な構成で装置を確実かつ容易に立設および着脱させることができる。従って、着脱作業の迅速化に伴う作業能率を向上させた地上設置式のボール排除装置を提供することができる。
【００１１】
請求項３に記載の発明によれば、主軸は、長手方向中心部に長孔を設け、プラグを備える配線を長孔内に内装可能とし、主軸の上部および嵌入部の底部側面に、長孔に連通した横孔を形成するとともに、ブラケットは、横孔を有する嵌入部の面と同一方向の面に、切欠部を縦貫形成し、かつスタンドは、アダプタを備える電線を貫通可能とする穴部を形成したので、地下に設置したアダプタに配線のプラグを着脱させて、駆動源に電気を供給する長孔内の配線とともに主軸をスタンドに対して容易に取付けおよび取外しをすることができる。
【００１２】
また、主軸をブラケットに嵌入した際、嵌入部から導出した配線を、切欠部からブラケット外側方に導出させることができる。また、ブラケットに対して主軸を着脱する際、嵌入部から導出した配線を、切欠部に沿って移動できるため、配線の無理な引っ張りや押し潰しなどによる損傷を防ぎ、主軸をスタンドに対して容易に着脱することができる。
【００１３】
さらに、スタンドの下方から配線を、穴部を介してスタンド上に導入、かつ安定設置することができる。
【００１４】
請求項４に記載の発明によれば、ピンは、電光部を備えるとともに、外筒を構成する上部プレートに設置した固定軸に着脱可能に設け、固定軸には、電光部に通電する配線を内装する孔を形成したので、ネオンやヤーデージなどの電光部を有するピンを備えるボール排除装置でも該装置を容易に着脱させることができるとともに、重量を有する長いピンを、固定軸から、配線を損傷させることなく容易に取外すことで、作業者は楽にボール排除装置を着脱することができる。従って、着脱作業の迅速化に伴う作業能率を向上させた地上設置式のボール排除装置を提供することができる。
【図面の簡単な説明】
【００１５】
【図１】本発明の一例を示す、地上設置式ボール排除装置の地上部分の全体斜視図である。
【図２】地上設置式ボール排除装置の全体断面模式図である。
【図３】地上設置式ボール排除装置における地下部分の構成斜視図である。
【図４】嵌入部を備える主軸を模式的に示した全体斜視図である。
【図５】ブラケットを備えるスタンドの全体斜視図である。
【図６】ブラケットから主軸を取外した状態の地上設置式ボール排除装置の全体斜視図である。
【図７】ピンを回転させない地上設置式ボール排除装置の全体断面模式図である。
【発明を実施するための形態】
【００１６】
以下、図面を参照しつつ、この発明を実施するための最良の形態について詳述する。図１は、本発明の一例を示した、地上設置式ボール排除装置の地上部分の全体斜視図である。
【００１７】
この地上設置式のボール排除装置１は、図１に示すように、例えば、ゴルフ練習場など（限定しない）において、人工芝で覆われた円形のグリーン２の中央部に設置され、グリーン２に主軸３を介して立設した、後述する駆動モータなどの駆動源４により駆動軸４ａを回転軸芯として円筒形などの外筒５ａを回転させる回転体６や、この回転体６の下部側面に取付けられたボール排除部材７および回転体６の上面中央に立設したピン８などから構成される。なお、主軸３を支持するグリーン２の地下部分は後述する。
【００１８】
この外筒５ａの表面には、打球緩衝用としての人工芝などが貼り付けられる。また、ピン８は、上方に突設した樹脂などから構成される棒状のもので、回転体６の上面中央に図示しない締結具など適宜方法により着脱自在に設けられている。なお、ピン８の上端部には旗などを取付けてもよい。
【００１９】
そして、ボール排除部材７は、例えば、回転体６の側面に設けたブラケット９を介して、グリーン２上のゴルフボールを押動可能な位置、かつ連結ピンｐにより上下方向にも首振り可能に取付けられた、樹脂などからなる丸棒状（パイプでもよい、形状なども限定されない）のもので、グリーン２の直径周部に十分届く長さを有している。
【００２０】
従って、回転体６の回転に伴い、ボール排除部材７も、回転体６を回転軸芯としてグリーン２上を周縁部に沿って時計方向又は反時計方向に回転し、ボール排除部材７が、グリーン２上に載って留まっているゴルフボールに接触してゴルフボールを押動することで、ゴルフボールがグリーン２の外側方に払い落とされる。
【００２１】
次に、本願発明の特徴である、着脱可能な地上設置式のボール排除装置について、その具体的構成を説明する。図２は、地上設置式のボール排除装置の全体断面模式図、図３は、地上設置式ボール排除装置における地下部分の構成斜視図、図４は、嵌入部を備える主軸を模式的に示した全体斜視図、図５は、ブラケットを備えるスタンドの全体斜視図、図６は、ブラケットから主軸を取外した状態の地上設置式ボール排除装置の全体斜視図である。
【００２２】
まず、図２に示すように、回転体６は、外筒５ａと、上部プレート５ｂと、下部プレート５ｃとから構成され、この外筒５ａ内であって、上部にモータである駆動源４や、駆動源４の下方にギアボックス１０、さらにギアボックス１０の下方にベアリング１１に支持した主軸３などを内設するものである。
【００２３】
つまり、図例のように、駆動源４における駆動軸４ａの回転により、ギアボックス１０内における駆動軸４ａの下端に配設した第１歯車ｇ１が回転し、この第１歯車ｇ１の回転に連動し、それぞれ軸や歯車同士の噛み合いを介して、第２歯車ｇ２、第３歯車ｇ３、第４歯車ｇ４、第５歯車ｇ５が順次回転する。
【００２４】
そして、第５歯車ｇ５に噛み合う第６内歯車ｇ６の回転により、第６内歯車ｇ６に固定された下部プレート５ｃおよび、下部プレート５ｃと一体の外筒５ａならびに上部プレート５ｂが回転することで、外筒５ａが回転される。従って、外筒５の回転に伴いボール排除部材７が回転する。なお、上部プレート５ｂの中央に取付けられたピン８も、外筒５ａの回転に伴い回転される。
【００２５】
一方、主軸３は、ベアリング１１により回転が抑制されている。この主軸３は、図４に示すように、下端部の外周に、金属類などで構成した長方形状（限定しない）の嵌入部１２が固設されている。
【００２６】
また、主軸３には、長手方向中心部に長孔１３を設け、下端にプラグｐを備える電線１４が、長孔１３内に挿通して内装（図４では省略）されている。なお、電線１４の上端は、駆動源４に接続されている。そして、主軸３の上部および嵌入部１２の底部側面に、長孔１３に連通した横孔１５が形成される。
【００２７】
次に、グリーン２の中心部の地中には、回転体６の直径よりも大きな、後述するマシンカバー１８や、メインフレーム１９、枠部材２０、スタンド２１を埋設可能とする空洞部１７が設けられる。なお、この空洞部１７は、既存の地下埋設式のボール排除装置の地下部分を利用したり、新たにグリーンを設けたときには、その中央部分を浅く掘り下げて設けることができる。
【００２８】
そして、空洞部１７内には、図３に示すように、中央に主軸３を貫通可能とする穴部１８ａを形成したマシンカバー１８を内設し、外周部に回転抑止翼１９ａを適宜間隔で複数設けたメインフレーム１９を設置するとともに、メインフレーム１９本体と、回転抑止翼１９ａとの間から下方には、空洞部１７周囲の土留を行う円筒形状（限定しない）であって、グリーン２の地表から必要な深さを得るための高さにした枠部材２０が設置される。
【００２９】
なお、上述したメインフレーム１９の回転抑止翼１９ａは、ボール排除部材７が、ボールを払いのける時の反力を、後述するブラケット２２が受けても動じないようにしたもので、主軸３の回転がベアリング１１により抑制されているものの、連れ回りなどがメインフレーム１９に伝わった場合、地中の土が回転抑止翼１９ａの回転を制止するために、主軸３からメインフレーム１９までの連れ回りによる回転を抑制することができる。
【００３０】
また、メインフレーム１９の底部に適宜間隔で複数形成されたステー１９ｂ上には、スタンド２１が載置され、ボルトなどの締結具で固定される。
【００３１】
このスタンド２１は、図５に示すように、円形状のメインフレーム１９に内設可能とした円盤状（限定しない、メインフレーム１９の形状に追従する）の部材であり、周縁近傍には、上端にアダプタｃを備える電線２２を挿通する穴部２１ａが１箇所（複数個所でもよい）貫設されている。従って、例えば、不図示の制御盤に接続され、スタンド２１下方の地中に埋設された電線２２（配線管を覆設してもよい）が、穴部２１ａからスタンド２１に導出されている。
【００３２】
また、スタンド２１の中央には、嵌入部１２を嵌入可能とする角筒形状（限定しない、嵌入部１２の形状に追従する）ブラケット２３が設置され、これら嵌入部１２およびブラケット２３で着脱機構Ａが構成される。
【００３３】
このブラケット２３は、重量を有する回転体６などを支持するため、金属製であることが好ましく、溶接などでスタンド２１上に取付けられる。そして、ブラケット２３は、横孔１５を有する嵌入部１２の面と同一方向のブラケット２３の面に、切欠部２３ａが縦貫形成されている。
【００３４】
従って、主軸３を、マシンカバー１８の穴部１８ａに挿入し、主軸３の嵌入部１２を、横孔１５および切欠部２３ａを同一方向にして、スタンド２１上のブラケット２３内に嵌入させることで、主軸３を介して回転体６やボール排除部材７、ピン８などの地上設置部分を支持し、立設させることができる。
【００３５】
そして、主軸３の長孔１３内に内装された電線１４は、嵌入部１２の横孔１５からブラケット２３の切欠部２３ａを介してスタンド２１上に導出され、下端のプラグｐがアダプタｃに接続される。
【００３６】
また、主軸３と、マシンカバー１８の穴部１８ａとの間には、パッキンなど防水性のシール部材２４が、両者間に生じている隙間部を覆うように着脱自在に設置されている。このため、上記隙間部から空洞部１７内への雨水や塵などの浸入を防ぐことができる。
【００３７】
ここで、ボール排除部材７およびピン８を備える回転体６を、グリーン２から取り外す場合には、まず、例えば、ピン８を回転体６から抜き取り、さらに、グリーン２からシール部材２４を取外すとともに、マシンカバー１８を主軸３に沿って上方に引き上げ、メインフレーム１９内の空洞部１７に存在するコネクタ（アダプタｃおよびプラグｐ）を確認する。
【００３８】
なお、ボール排除部材７も、ブラケット９に取付けた根元軸７ａを残して、この根元軸７ａに締結具など適宜方法で着脱自在に取付けられた本体部分を取り外してもよい。
【００３９】
次いで、空洞部１７内におけるスタンド２１上の電線１４側のプラグｐから、電線２２側のアダプタｃを抜いて、両者の接続を解除する。このとき、例えば、アダプタｃ近傍の電線２２に釣止させた、合成ゴムなどから構成された防水カバー（材質は限定しない）など防水性を有するアダプタキャップ２５を、アダプタｃのプラグｐ接続面に覆設させることで、アダプタｃ内への水分や埃の浸入を防ぐことができる。
【００４０】
次いで、図６に示すような、回転体６の上部プレート５ｂに有するピン取付部５ｄに設けたシャックル８ａを掴み（回転体６の側面などを挟持してもよい）、回転体６を上方に引き上げることで、主軸３の嵌入部１２が、スタンド２１上のブラケット２２内から外れて、両者の嵌合状態が解除される。
【００４１】
このとき、嵌入部１２の横孔１５から導出される電線１４は、主軸３の上昇に伴いブラケット２３の切欠部２３ａから外れるので、電線１４を引っ張るなどして断線や破損させることなく、安全に回転体６を持ち上げることができる。
【００４２】
以上のようにして、回転体６を、グリーン２から容易に取外すことができる。なお、回転体６を取外した後、メインフレーム１９には、例えば、マシンカバー１８に替えて、図示しない穴部のないマシンカバーを設置することができる。
【００４３】
前記マシンカバーは、空洞部１７への開口部分である、メインフレーム１９のマシンカバー１８を内設させる部分の穴を覆うものであればよい。また、このマシンカバーは、上面に把持部を設けてもよく、さらにメインフレーム１９に締結具などで着脱自在に設置させることができる。
【００４４】
なお、ボール排除部材７およびピン８を含む回転体６を、グリーン２に設置させる場合には、上述の方法とは逆の順序で設置することができる。
【００４５】
以上詳述したように、この例の地上設置式のボール排除装置１は、スタンド２１は、地下の空洞部１７に設置するとともに、主軸３と、スタンド２１とに、装置を着脱可能とする着脱機構Ａを備え、この着脱機構Ａは、主軸３の下端部に設けた嵌入部１２と、スタンド２１上に設けた、嵌入部１２を嵌入可能、かつ主軸３を立設可能とするブラケット２３とからなり、嵌入部１２を、ブラケット２３に、空洞部１７に覆設したマシンカバー１８の穴部１８ａを介して着脱自在に備えたので、積雪や台風といった気候条件など必要に応じて、グリーン２に設置したボール排除装置１を簡単に着脱させることができる。
【００４６】
また、嵌入部１２は、主軸３の下部に覆設し、主軸３は、長手方向中心部に長孔１３を設け、プラグｐを備える電線１４を長孔１３内に内装可能とするとともに、主軸３の上部および嵌入部１２の底部側面に、長孔１３に連通した横孔１５を形成したので、地下に設置した電線２２のアダプタｃに、電線１４のプラグｐを着脱させて、駆動源４に電気を供給する長孔１３内の電線１４とともに主軸３をスタンド２１に対して容易に取付けおよび取外しをすることができる。
【００４７】
また、ブラケット２３は、横孔１５を有する嵌入部１２の面と同一方向の面に、切欠部２３ａを縦貫形成したので、主軸３をブラケット２３に嵌入した際、嵌入部１２から導出した電線１４を、切欠部２３ａからブラケット２３の外側方に導出させることができる。また、ブラケット２３に対して主軸３を着脱する際、嵌入部１２から導出した電線１４を、切欠部２３ａに沿って移動できるため、電線１４の無理な引っ張りや押し潰しなどによる損傷を防ぎ、主軸３をスタンド２１に対して容易に着脱することができる。
【００４８】
また、スタンド２１は、アダプタｃを備える電線２２を貫通可能とする穴部２１ａを形成したので、スタンド２１の下方から電線２２を、穴部２１ａを介してスタンド２１上に導入、かつ安定設置することができる。
【００４９】
また、アダプタｃの近傍には、アダプタｃに対するプラグｐの脱着時に、アダプタｃに取付ける防水性の前記アダプタキャップを備えたので、プラグｐを脱着してボール排除装置１を取外した際に、アダプタｃに、このアダプタキャップを被せることで、アダプタｃ内への湿気や結露による水分または塵芥などの浸入を防ぐことができる。
【００５０】
また、主軸３と、マシンカバー１８の穴部１８ａとの隙間には、防水性のシール部材２４を備えるので、主軸３と、マシンカバー１８の穴部１８ａとの隙間からスタンド２１を設置している地下の空洞部１７内への、雨水などの流入を防ぎ、空洞部１７内の浸水やプラグｐとアダプタｃの連結部からの漏電などを防ぐことができる。
【００５１】
さらには、地上設置式ボール排除装置１を取外した時には、マシンカバー１８を取外した位置に、穴部を有さないマシンカバーなどを設けるので、このマシンカバーが、空洞部１７への開口部分である、メインフレーム１９のマシンカバー１８内設部を覆い、この開口部分から空洞部１７への雨水などの流入を防ぎ、空洞部１７の浸水およびプラグｐとアダプタｃの連結部からの漏電などを防ぐことができる。
【００５２】
上述した、グリーン２に容易に着脱自在とする地上設置式のボール排除装置１は、ピン８を回転させず、ピンに電光部を備える地上設置式のボール排除装置１´にも適用することができる。図７は、ピンを回転させない地上設置式ボール排除装置の全体断面模式図である。
【００５３】
この場合、地上設置式のボール排除装置１´の回転体６´は、図７に示すように、上部プレート５ｂ´の中央に穴ｈを形成するとともに、駆動源４の上部から穴ｈを介してベアリング２７に固定した固定軸２８を、上部を回転体６の上方に突出させて、回転体６´が回転しても回転不能に設置する。
【００５４】
なお、駆動軸４ａから各歯車を介して下部プレートと一体の側板５ａならびに上部プレート５ｂを回転させる動力伝達経路は、図中では一部を省略しているが、上述と同様である。
【００５５】
また、ベアリング２７の上方であって、上部プレート５ｂ´と、固定軸２８との間の周囲には、オイルシールなどのシール部２９を設けている。
【００５６】
そして、固定軸２８内には、駆動源４に電気を供給する電線１４を分岐または単独に配線した電線１４´を挿通可能とする孔３０が形成され、この電線１４´が、孔３０に内装されている。また、ピン８´の下端と、固定軸２８の上端とには、図示しない一方に嵌入側のソケットピンおよび他方に嵌合側のソケットピンを嵌合可能とするソケットピンが形成されることで、このような周知技術により、ピン８´は、固定軸２７に対して着脱自在に設置されている。
【００５７】
なお、前記ソケットピンの一方には、電線１４´および他方には電光部の図示しない電線が接続されており、ピン８´の着脱に伴う各ソケットピンの嵌合または嵌合解除により、前記ソケットピンの部分をコネクタとすることができる。
【００５８】
そして、ピン８´には、例えば、グリーン２の位置表示のために、ピン８´の表面に等間隔に複数配設した電球や、フェアウェイの距離表示のためのヤーデージ盤など図示しない電光部が設置されるとともに、この電光部の図示しない電線が、ピン８´内に内装されており、固定軸２８と、ピン８´との着脱部分近傍で電線１４´に図示しないプラグおよびアダプタなどで接続されている。
【００５９】
つまり、駆動源４により回転体６の上部プレート５ｂ´が回転するが、ベアリング２７により固定軸２８は回転が抑制される。そして、この固定軸２８に着脱自在に連結されるピン８´も回転しないため、このピン８´に前記電光部を備えることができる。
【００６０】
従って、このような、回転しないピン８´に電光部を備える地上設置式のボール排除装置１´にも、本願発明の着脱機構Ａにより、グリーン２からボール排除装置１´を容易に着脱させることができる。
【００６１】
以上詳述したように、この例の地上設置式のボール排除装置１´は、ピン８´に電光部を備えるとともに、外筒を構成する上部プレート５ｂ´に設置した固定軸２８に着脱可能に設け、固定軸２８には、電光部に通電する電線１４´を内装する孔３０を形成したので、ネオンやヤーデージなどの電光部を有するピン８´を備えるボール排除装置１´でも該装置１´を容易に着脱させることができるとともに、長く重量を有するピン８´を、固定軸２８から、電線１４´を損傷させることなく容易に取外すことで、作業者は楽にボール排除装置１´を着脱することができる。
【００６２】
なお、電線１４および電線２２の接続は、次のようにすることもできる。この場合、図示しないが、ブラケット２２の底面上と、主軸３の下端面とには、上述したように、一方に嵌入側のソケットピンおよび他方に嵌合側のソケットピンを嵌合可能とするソケットピンが形成される。
【００６３】
そして、これらソケットピンの一方には、電線１４および他方には電線２２が接続されている。従って、主軸３をブラケット２２に嵌入させることで、それぞれのソケットピンも嵌合するため、電線１４および電線２２が接続され、作業者は、マシンカバー１８の取外しや、コネクタ（プラグｐおよびアダプタｃ）の着脱を行う必要がなく、地上設置式ボール排除装置１をいっそう容易に着脱させることができる。
【００６４】
上述してきた地上設置式ボール排除装置１，１´には、ボール排除部材７の位置制御手段を設けることができる。これは、例えば、回転体６の下端面に取付けた、回転体６の回転とともに回転する検出ドグＤ１と、回転体６内のベアリングケースの側方位置に設置した近接スイッチＤ２（回転体６に伴い回転しない）とからなる検出器Ｄが、回転体６に設けられる。なお、近接スイッチＤ２などの検出器Ｄは周知技術であるため、詳細な説明は省略する。なお、検出器Ｄは、種類や設置位置を限定するものではなく、上述した近接スイッチの他に、リミットスイッチなどを適宜位置に設置してもよい。
【００６５】
そして、検出器Ｄ（近接スイッチＤ２など）は、前記制御盤の図示しないコントローラに接続されるとともに、このコントローラは、駆動源４への通電（配線１４）を入切する図示しないスイッチに接続（駆動源４の駆動軸４ａに設置した図示しないブレーキ部材に接続してもよい）する。
【００６６】
このような構成により、前記コントローラは、例えば、回転体６の回転に伴い、近接スイッチＤ２の作動部と、検出ドグＤ１との隙間が規定値の範囲になり、近接スイッチＤ２が電気的に作動することで回転体６の回転数などを検出した検出情報に基づいて、予め設定した前記制御盤の設定値から駆動源４への通電の入切を行い、ボール排除部材７の回転数や、前記制御盤のタイマーなどと併せて、一定の間隔で所定時間だけ回転させる回転間隔などを調整することができる。なお、駆動源４にインバータなどを設けることで、ボール排除部材７の回転速度なども調整することができる。
【００６７】
また、所定の回転速度において、回転体６の停止処理（駆動源４への通電を遮断）を開始すると、グリーン２上でのボール排除部材７の停止位置が判明しているため、前記コントローラは、ボール排除部材７を停止させる際、ボール排除部材７が、ゴルフの打席と、ピン８とが一直線になる、打席から見てピン８の裏側で停止する位置になるボール排除部材７の回転位置で回転体６の停止処理を行う。
【００６８】
従って、ボール排除部材７の回転停止中は、このボール排除部材７がピン８の裏側に位置し、打席のプレイヤーからは、グリーン２上のボール排除部材７が見えにくいため、プレイヤーは違和感なくグリーン２上にボールを載せるプレーを行うことができる。
【産業上の利用可能性】
【００６９】
本発明は、上述した、ゴルフ練習場におけるボール排除装置に限定されず、野球のバッティングセンターやテニス練習場など、地上設置式のボール排除装置を設置可能な施設全般に適用することができる。
【符号の説明】
【００７０】
１    地上設置式ボール排除装置
２    グリーン
３    主軸
４    駆動源
５ａ    外筒
５ｂ    上部プレート
５ｃ    下部プレート
６    回転体
７    ボール排除部材
８    ピン
１２    嵌入部
１３    長孔
１４，２２    電線
１７    空洞部
１８    マシンカバー
２１    スタンド
２３    ブラケット
２３ａ    切欠部
２４    シール部材
Ａ    着脱機構
ｐ    プラグ
ｃ    アダプタ
【図１】
2011167339.tif 000003
【図２】
2011167339.tif 000004
【図３】
2011167339.tif 000005
【図４】
2011167339.tif 000006
【図５】
2011167339.tif 000007
【図６】
2011167339.tif 000008
【図７】
2011167339.tif 000009